(57)【要約】【課題】患者の体重や体格差に応じて柔軟にフィットするバックレストを備えた歯科診療椅子を提供することを課題とする。【解決手段】歯科診療椅子ＤＣは、基台となるベース部１と、このベース部１に支持され患者Ｍを所定の診療体位に保持するバックレスト２と、を有している。バックレスト２は、ベース部１から立設され、患者Ｍの背骨部分を支持する背板支柱２１と、この背板支柱２１から左右方向に延出する背板翼部２２と、を備えている。背板翼部２２は、左右方向において、背板支柱２１から遠い方が前方へ向かうように湾曲して形成された湾曲部２２ｃを有している。湾曲部２２ｃは、患者Ｍの背中部分を支持した状態で、患者Ｍの体形に応じて前後方向に撓む可撓性を備えている。【選択図】図２
2018015424.tif 000002
【特許請求の範囲】
【請求項１】
基台となるベース部と、このベース部に支持され患者を所定の診療体位に保持するバックレストと、を有する歯科診療椅子であって、
前記バックレストは、
前記ベース部から立設され、前記患者の背骨部分を支持する背板支柱と、
この背板支柱から左右方向に延出する背板翼部と、を備え、
前記背板翼部は、左右方向において前記背板支柱から遠い方が前方へ向かうように湾曲して形成された湾曲部を有し、
前記湾曲部は、前記患者の背中部分を支持した状態で、前記患者の体形に応じて前後方向に撓む可撓性を備えたこと、
を特徴とする歯科診療椅子。
【請求項２】
前記背板翼部は、この背板翼部の中央部に上下方向に延設されて前記背板支柱に固定される固定板部と、
この固定板部の左右端部から左右方向に延出された翼部と、を一体成型して形成されていること、
を特徴とする請求項１に記載の歯科診療椅子。
【請求項３】
前記背板翼部は、略矩形形状をなし、上部左右の隅には、前記患者の肩の部分を支持する部分をえぐるように切り欠いて形成した外縁部を有する肩甲骨支持部を備えたこと、
を特徴とする請求項１または請求項２に記載の歯科診療椅子。
【請求項４】
前記バックレストは、前記背板支柱及び前記背板翼部からなる背板部と、
この背板部を覆うように配設されたクッション部と、を有し、
前記クッション部は、前記患者の腰の部分を支持するランバーサポートを有し、
前記ランバーサポートは、前記クッション部の厚みを厚くした隆起部によって形成されていること、
を特徴とする請求項１ないし請求項３のいずれか１項に記載の歯科診療椅子。
【請求項５】
前記湾曲部は、前記患者の肩の部分を支持する上部よりも腰の部分を支持する下部の方が湾曲の深さが大きいこと、
を特徴とする請求項１から請求項４のいずれか１項に記載の歯科診療椅子。
【発明の詳細な説明】
【技術分野】
【０００１】
本発明は、歯科診療椅子に関する。
【背景技術】
【０００２】
従来、着座する患者の体形に合わせて背もたれを適用させたものとしては、特許文献１に記載された椅子における背凭れ装置が知られている（例えば、特許文献１参照）。
【０００３】
特許文献１に記載の歯科診療椅子（椅子における背凭れ装置）は、メイン背凭れの両側に前方斜め方向に折曲され患者の両腕を包み込む翼片を一体的に形成することで、患者の背中が湾曲している場合でも、安定状態で施術することができるようにしている。
【先行技術文献】
【特許文献】
【０００４】
【特許文献１】特許第４１７０８２９号公報（請求項３、段落［００１０］、［００３４］、図１、図３、図６、図８及び図１０）
【発明の概要】
【発明が解決しようとする課題】
【０００５】
しかし、特許文献１に記載の歯科診療椅子の背凭れは、メイン背凭れの両側に、前方斜め方向に折曲された翼片を一体的に形成しているので、折曲形成した翼片の折曲角度が常に一定な角度になっている。このため、患者の体形が中位の者には適合するものの、患者の体形が大きい者や、体形が小さい者には、背凭れが適合せず、フィットしないという問題点があった。
【０００６】
そこで、本発明は、患者の体重や体格差に応じて柔軟にフィットするバックレストを備えた歯科診療椅子を提供することを課題とする。
【課題を解決するための手段】
【０００７】
前記課題を解決するため、本発明に係る歯科診療椅子は、基台となるベース部と、このベース部に支持され患者を所定の診療体位に保持するバックレストと、を有する歯科診療椅子であって、前記バックレストは、前記ベース部から立設され、前記患者の背骨部分を支持する背板支柱と、この背板支柱から左右方向に延出する背板翼部と、を備え、前記背板翼部は、左右方向において前記背板支柱から遠い方が前方へ向かうように湾曲して形成された湾曲部を有し、前記湾曲部は、前記患者の背中部分を支持した状態で、前記患者の体形に応じて前後方向に撓む可撓性を備えたこと、を特徴とする。
【０００８】
かかる構成によれば、歯科診療椅子のバックレストの中央部は、ベース部から立設された背板支柱によって好適な剛性を確保することができる。これにより、バックレストは、背骨部分をしっかりとサポートすることで、身体の芯を安定して保持することができる。
また、バックレストの左右両側は、背板支柱から左右方向に延出する背板翼部を配設している。その背板翼部は、湾曲部を備えたことで、背中全体を広範囲にサポートすることができる。
また、湾曲部は、可撓性を備えていることで、バックレストの左右両側に体重をかけると患者の体形に応じて撓ませることができる。これにより、バックレストは、患者の体重や体格差に応じて柔軟にフィットする。バックレストは、例えば、小柄な人には小さな撓みでサポートし、大柄な人には大きな撓みでしっかりとサポートするため、フィット感を向上させることができる。
【０００９】
また、前記背板翼部は、この背板翼部の中央部に上下方向に延設されて前記背板支柱に固定される固定板部と、この固定板部の左右端部から左右方向に延出された翼部と、を一体成型して形成されていることが好ましい。
【００１０】
かかる構成によれば、背板翼部は、背板支柱に固定された固定板部と、固定板部から延出された翼部と、を一体成型して形成されていることで、翼部に荷重が負荷されると、固定板部の左右端部を中心として前後方向に弾性変形する。このため、背板翼部は、患者が歯科診療椅子に着座してバックレストに寄りかかった場合、患者の背中全体を広範囲に亘って弾性的にサポートすることができる。
【００１１】
また、前記背板翼部は、略矩形形状をなし、上部左右の隅には、前記患者の肩の部分を支持する部分をえぐるように切り欠いて形成した外縁部を有する肩甲骨支持部を備えたことが好ましい。
【００１２】
かかる構成によれば、背板翼部は、患者の肩の部分を支持する部分をえぐるように切り欠いて形成した外縁部を有する肩甲骨支持部を備えていることにより、肩甲骨支持部によって、患者の不安定な肩ではなくて、しっかりしている肩甲骨の部分を支持することで、患者を安定した状態に支えることができる。また、背板翼部は、上部左右の隅を切り欠いて上部左右の幅を縮小していることで、医師が患者に接近して口腔内を治療することができるため、歯科診療し易くなる。
【００１３】
また、前記バックレストは、前記背板支柱及び前記背板翼部からなる背板部と、この背板部を覆うように配設されたクッション部と、を有し、前記クッション部は、前記患者の腰の部分を支持するランバーサポートを有し、前記ランバーサポートは、前記クッション部の厚みを厚くした隆起部によって形成されていることが好ましい。
【００１４】
かかる構成によれば、ランバーサポートは、寝かせた姿勢の患者においても、背中にフィットしてバックレストと背中の間にできる隙間をなくして全面で支持しているので、腰への負担を軽減する。
【００１５】
また、前記湾曲部は、前記患者の肩の部分を支持する上部よりも腰の部分を支持する下部の方が湾曲の深さが大きいことが好ましい。
【００１６】
かかる構成によれば、ランバーサポートの湾曲部は、人間工学に基づいて、深さが浅い肩と、深さが深い腰の部分と、をそれぞれ適切にサポートすると共に、患者の体格差に対しても、柔軟に対応することができる。
【発明の効果】
【００１７】
本発明は、患者の体重や体格差に応じて柔軟にフィットするバックレストを備えた歯科診療椅子を提供することができる。
【図面の簡単な説明】
【００１８】
【図１】本発明の実施形態に係る歯科診療椅子を示す斜視図である。
【図２】歯科診療椅子のバックレスト及びヘッドレストの駆動部を示す背面図である。
【図３】歯科診療椅子のバックレスト及びヘッドレストの側面図である。
【図４】歯科診療椅子のバックレスト及びヘッドレストの平面図である。
【図５】図２のＡ−Ａ断面図である。
【図６】バックレストの背板翼部を前側から視た状態を示す斜視図である。
【図７】バックレストの背板翼部を後側から視た状態を示す斜視図である。
【図８】バックレストの背板翼部を示す平面図である。
【図９】バックレストの正面図である。
【図１０】（ａ）は図９のＢ−Ｂ断面図、（ｂ）は図９のＣ−Ｃ断面図、（ｃ）はバックレストの平面図である。
【図１１】背板部を取り外したバックレストを示す図であり、（ａ）図９のＤ−Ｄ断面図、（ｂ）は図９のＥ−Ｅ断面図、（ｃ）は図９のＦ−Ｆ断面図、（ｄ）は側面図である。
【発明を実施するための形態】
【００１９】
以下、図１〜図１１を参照して、本発明の実施形態に係る歯科診療椅子を説明する。
なお、本実施形態では、図１に示す歯科診療椅子ＤＣにおいて、座部１１側を前方向、背板支柱２１側を後方向として説明する。また、各部品においても同様とする。
【００２０】
≪歯科診療椅子≫
図１に示す歯科診療椅子ＤＣは、歯科の治療時に使用される医療用椅子である。歯科診療椅子ＤＣは、基台となるベース部１と、ベース部１に支持されたバックレスト２と、バックレスト２に支持されたヘッドレスト３と、バックレスト２及びヘッドレスト３を昇降自在に支持する昇降ブレーキ機構ＢＭと、を有している。
【００２１】
≪ベース部≫
ベース部１は、例えば、患者Ｍ（図２参照）が着座する座部１１である。ベース部１（座部１１）は、台座１０上に支持されている。
【００２２】
≪バックレスト≫
バックレスト２は、座部１１に着座した患者Ｍの背部を支えて、患者Ｍを所定の診療体位に保持するための背凭れである（図２参照）。バックレスト２は、背板支柱２１及び背板翼部２２から成る背板部２３と、背板部２３を覆うように配設されたクッション部２４と、クッション部２４を覆う表皮２５と、表皮２５の外周縁部を適宜な間隔で固定するカッター針２６と、背板支柱２１に設けられた前記昇降ブレーキ機構ＢＭと、を備えている。
【００２３】
＜背板支柱＞
背板支柱２１は、バックレスト２を背面側から支持すると共に、座部１１に着座した患者Ｍの背骨部分を背面側に支持する支柱部材である。背板支柱２１は、ベース部１に傾倒可能に立設されている。このため、バックレスト２は、背板支柱２１によって、ベース部１に対して適宜な角度に傾倒可能に配置されている。背板支柱２１は、背板翼部２２の中央部に上下方向に延設されたバックレスト取付板２１１と、バックレスト取付板２１１からベース部１に亘って設けられた支柱本体２１２と、バックレスト取付板２１１を覆う外ケース２１３と、を有している。バックレスト２は、背面視して略矩形の厚板状に形成されている。
【００２４】
図２に示すように、バックレスト取付板２１１は、昇降ブレーキ機構ＢＭの各部材が設置される金属製板部材である。バックレスト取付板２１１は、背面視して上下方向に長い矩形に形成され、平面視してコ字状（略Ｕ字状）に折曲形成されている。バックレスト取付板２１１は、背板翼部２２の中央部上端から中央部下端に亘って配置されている。
【００２５】
図１に示すように、支柱本体２１２は、バックレスト取付板２１１とベース部１とを連結する柱状の金属製の連結部材である。
外ケース２１３は、バックレスト取付板２１１に設置された昇降ブレーキ機構ＢＭを覆うカバーである。外ケース２１３は、バックレスト取付板２１１とで昇降ブレーキ機構ＢＭを収容するケース半体を構成している。
【００２６】
＜背板翼部＞
図２に示すように、背板翼部２２は、背面視してバックレスト２と同じ「略矩形形状」に形成されて、バックレスト２よりも小さく形成された板状の骨格部材である。図６及び図７に示すように、背板翼部２２は、この背板翼部２２の中央部に上下方向に延設されて背板支柱２１に固定される固定板部２２ａと、この固定板部２２ａの左右端部から左右方向に延出されて翼形状に形成された翼部２２ｂと、を一体成型して形成されている。背板翼部２２は、上下方向に長い矩形の固定板部２２ａと、固定板部２２ａから左右方向に延出した翼部２２ｂと、平面視して略円弧状に形成された湾曲部２２ｃと、上部左右の隅に形成された肩甲骨支持部２２ｄと、雌ねじ部２２ｅと、ガス抜き孔２２ｆと、枠部２２ｇと、稜線２２ｈと、切欠部２２ｉと、外縁部２２ｊと、を有している。
【００２７】
ここで、「略矩形形状」とは、全体の外形形状が略正方形、長方形、台形からなり、左右方向に延びる上辺及び下辺と、上下方向に延びる左辺及び右辺と、を有し、上部左右の隅に切欠部２２ｉが配設された形状をいう。
具体的には、図６に示すように、上辺は、患者Ｍの肩の部分Ｍａ（図２参照）の高さに位置し、下辺は、腰の部分Ｍｃの高さに位置する。左辺及び右辺は、患者Ｍの体側に位置するように形成されている。
なお、背板翼部２２には、切欠部２２ｉが配設されているため、上辺の長さＬ２５は、下辺の長さＬ２２よりも短く形成されている。
【００２８】
図５に示すように、背板翼部２２の前側には、クッション部２４が一体成型されている。背板翼部２２は、ポリプロピレン等の樹脂によって形成されて前後方向に弾性変形する弾性を有している。この背板翼部２２は、バックレスト２において、クッション部２４を支持する芯材の役目を果す。なお、背板翼部２２とクッション部２４とは、一体成型でなくてもよく、接着剤または両面テープで背板翼部２２とクッション部２４とを固定してもよい。
図６に示すように、背板翼部２２の上下方向の長さＬ２１は、例えば、一例を挙げると、４３０ｍｍである。背板翼部２２の左右方向の長さＬ２２は、例えば、６２０ｍｍである。
【００２９】
固定板部２２ａは、背面視して矩形のバックレスト取付板２１１が重ねられてボルト締結される固定個所である（図２参照）。固定板部２２ａは、平面視して左右方向に沿って平行に形成されている。図６に示すように、固定板部２２ａは、例えば、固定板部２２ａの上端部の左右方向の幅Ｌ２３が１４０〜１５０ｍｍで、固定板部２５ａの下端部の左右方向の幅Ｌ２４が１１０〜１２０ｍｍで、下端から上端に亘って徐々に幅広になるように形成されている。図６及び図７に示すように、矩形の固定板部２２ａの上部に左右二箇所と、中央部の中央寄りの左右二箇所には、例えば、ボルト（図示省略）に螺合するウェルディングナット等をインサート成型して形成された雌ねじ部２２ｅが配置されている。
【００３０】
図７に示すように、翼部２２ｂは、上部が固定板部２２ａの中央部から左右方向に長さＬ２５突出し、下部が固定板部２２ａの中央部から左右方向に長さＬ２６（例えば、３１０ｍｍ）突出して、上側よりも下側の左右方向に幅が広くなっている。図８に示すように、翼部２２ｂは、平面視して、左右の両端部が、固定板部２２ａの後端から長さＬ２７（例えば９６ｍｍ）前方向になるように、固定板部２２ａに対して、角度θ１（例えば、８〜３０度、好ましくは１８〜２８度、さらに好ましくは２０．４度）折曲形成されている。左右の翼部２２ｂには、上下方向の中央部及び下端部に、ガス抜き孔２２ｆが形成されている。
【００３１】
湾曲部２２ｃは、平面視して中央部が窪んで、左右両端部が前方向に膨出した状態に略円弧状に形成された部位である。つまり、湾曲部２２ｃは、患者Ｍの体のカーブに沿うように曲がって形成されている。湾曲部２２ｃは、左右方向において背板支柱２１から遠い方が前方へ向かうように湾曲して形成されている。湾曲部２２ｃは、患者Ｍの背中部分を支持した状態で、患者Ｍの体形に応じて前後方向（矢印ａ，ｂ方向）に撓む可撓性を有している（図２参照）。図２に示すように、湾曲部２２ｃは、患者Ｍの肩の部分Ｍａを支持する上部よりも腰の部分Ｍｃを支持する下部の方が湾曲の深さ（図８のＬ２８（例えば、８０ｍｍ））が大きい形成されている。
【００３２】
ここで、「前後方向に撓む可撓性」とは、前後方向に曲げ変形することが可能な弾性を有していることをいう。左右の湾曲部２２ｃは、背板翼部２２において、患者Ｍがバックレスト２に寄りかかった際に、患者Ｍの背中に押圧されて、固定板部２２ａの左右両端の稜線２２ｈを中心として前後方向に弾性変形して、患者Ｍに密着するように形成されている。
【００３３】
図２に示すように、肩甲骨支持部２２ｄは、着座した患者Ｍの肩甲骨の部分Ｍｂが重なって支持される部位である。肩甲骨支持部２２ｄは、患者Ｍの肩の部分Ｍａを逃がすために、背板翼部２２の上部左右の隅部をえぐるように外縁部２２ｊが湾曲状に切り欠いて形成されている。肩甲骨支持部２２ｄは、背板翼部２２の上部左右の隅部を切り欠いた切欠部２２ｉの背板支柱２１寄りの部位（固定板部２２ａ寄りの部位）に形成されている。図７に示すように、肩甲骨支持部２２ｄは、下方に向かうに連れて背板翼部２２の幅Ｌ２５（バックレスト２の上端部の幅）が幅Ｌ２６（バックレスト２の中央部の幅）に広がるように内側方向に凹んで湾曲するように形成されている。
【００３４】
図６、図７及び図９に示すように、切欠部２２ｉは、背板翼部２２において、患者Ｍの肩の部分Ｍａに重なる箇所を切り欠いて、肩の部分Ｍａが当たらないようにした部位である（図２参照）。外縁部２２ｊは、切欠部２２ｉによって肩甲骨支持部２２ｄの外縁に配設される。外縁部２２ｊは、患者Ｍの肩の部分Ｍａの周りを囲むように緩やかな曲線状をなしている。
【００３５】
このため、背板翼部２２は、切欠部２２ｉと外縁部２２ｊとを備えたことで、患者Ｍの肩の部分Ｍａを逃がして、肩甲骨支持部２２ｄ肩甲骨の部分Ｍｂを安定して支持することができる。また、背板翼部２２は、切欠部２２ｉを配設したことで、歯科診療中に医師が切欠部２２ｉの位置から患者Ｍに近づくことができるので、診療をし易くしている（図２参照）。
【００３６】
雌ねじ部２２ｅは、バックレスト取付板２１１を固定するボルト（図示省略）が螺合するものであればよく、その形状、種類等は特に限定されない。
ガス抜き孔２２ｆの形状、大きさ及び配置位置は、適宜変更してもよい。
枠部２２ｇは、背板部２３の外周部を縁取って囲む部位である。枠部２２ｇは、背板翼部２２の外周縁部に、厚さを厚くして枠状（細い帯状）に一体成型されている。
稜線２２ｈは、固定板部２２ａの左右上端部から左右下端部に亘って折曲形成された部位である。稜線２２ｈは、背板翼部２２が撓む際に、撓み変形の起点となる部位である。
【００３７】
図５に示すように、背板部２３は、背板翼部２２の背面略全体を覆うように被着された薄板状のカバー部材である。背板部２３は、例えば、面ファスナー等によって背板翼部２２に固定されている。
【００３８】
図１０（ａ）、（ｂ）に示すように、クッション部２４は、芯材である背板翼部２２の上に敷設するように設けられたクッション層を形成する弾性体である。クッション部２４は、発泡ウレタン等の柔軟な樹脂によって形成されている。クッション部２４には、患者Ｍの腰の部分Ｍｃを支持するランバーサポート２４ａと、ランバーサポート２４ａの厚みｔ３を厚くした隆起部２４ｂと、が形成されている。クッション部２４は、平面視して円弧状に反った状態に曲がって形成されている。図９に示すように、クッション部２４の外周部の形状は、正面視して、前記した背板翼部２２を少し大きくした形状に形成されている。
【００３９】
クッション部２４の上部（背板翼部２２の湾曲部２２ｃがある部位）は、横断面視すると、図１０（ａ）に示すように、背板部２３がある左右の部位の厚さｔ１が、例えば、２６ｍｍで、中央部の厚さｔ２が２５ｍｍで、クッション部２４全体の厚さが略均一な厚さに形成されている。このクッション部２４の上部の前面は、平面視して円弧状に窪んだ状態に形成されている。
【００４０】
クッション部２４の中央部から下寄りの部位は、横断面視すると、図１０（ｂ）に示すように、左右端部の厚さｔ１が、例えば、２６ｍｍで、中央部の厚さｔ３が５３ｍｍで、前側に膨らんだ隆起部２４ｂから成るランバーサポート２４ａが形成されている。このクッション部２４の中央部から下寄りの部位は、平面視して、緩やかに円弧状に窪んだ状態に形成されている。
【００４１】
図１０（ｃ）に示すように、クッション部２４の下端部は、平面視すると、左右端部から後端面までの厚さｔ４が、例えば、１２５ｍｍで、最も厚く形成されている。
このように、クッション部２４は、縦断面視して、下端部寄りの位置の厚さ厚く形成されて、患者Ｍの腰の部分Ｍｃ（図２参照）に当接するように形成されている。
【００４２】
図１１（ａ）に示すように、クッション部２４の左右方向の中央部は、縦断面視すると、上端部の厚さｔ５が、例えば、２５ｍｍで、下端部の厚さｔ６が８０ｍｍとなっている。クッション部２４の左右方向の中央部は、上端部から上下方向中央部に亘って略同じ厚さに形成されて、上下方向中央部から下端部に亘って徐々に厚くなるように隆起部２４ｂが形成されている。
【００４３】
図１１（ｂ）に示すように、クッション部２４において、固定板部２２ａの左右外側部位の位置では、縦断面視すると、上端部の厚さｔ７が、例えば、３１ｍｍで、下端部の厚さｔ８が７４ｍｍとなっている。クッション部２４において、固定板部２２ａの左右外側部位は、図１１（ａ）に示すクッション部２４の左右方向の中央部と比較して、上端部が厚く、下端部が薄く形成されている。クッション部２４において、固定板部２２ａの左右外側部位も、上下方向中央部から下端部に亘って徐々に厚くなる隆起部２４ｂが形成されている。
【００４４】
図１１（ｃ）に示すように、クッション部２４において、湾曲部２２ｃが形成されている部位は、縦断面視すると、上端部の厚さｔ９が、例えば、２７ｍｍで、下端部の厚さｔ１０が４２ｍｍとなっている。クッション部２４において、湾曲部２２ｃが形成されている部位は、図１１（ａ）、（ｂ）に示すクッション部２４の左右方向の中央部寄りの部位と比較して、下端部が薄く形成されて、隆起部２４ｂの厚さが薄くなっている。
【００４５】
図１１（ｄ）に示すように、クッション部２４の左右両端部は、側面視すると、クッション部２４の厚さが均一になっている。
【００４６】
表皮２５は、クッション部２４の表面を覆う樹脂製または革製のカバー部材である。表皮２５は、例えば、ビニールレザーといわれる塩化ビニールから成る。表皮２５は、外周部をカッター針２６で留めることで、クッション部２４を覆った状態に保持されている。
カッター針２６は、金属等によって形成されている。
【００４７】
≪ヘッドレスト≫
図２に示すように、ヘッドレスト３は、座部１１（図１参照）に着座した患者Ｍの頭部を支えて保持するために部位である。ヘッドレスト３は、バックレスト２の上部に昇降及び傾倒可能に設けられている。
【００４８】
≪昇降ブレーキ機構≫
図２に示すように、昇降ブレーキ機構ＢＭは、バックレスト２を適宜な高さに調整して保持するバックレストブレーキ機構４と、ヘッドレスト３を適宜な高さに調整して保持するヘッドレストブレーキ機構５と、から構成されている。昇降ブレーキ機構ＢＭは、バックレスト取付板２１１の背面に取り付けられている。
【００４９】
バックレストブレーキ機構４は、付勢手段４７によって常に上方向に付勢されているバックレスト２を２本のガイドシャフト４１，４２で支え、１本のガイドシャフト４１を一方向ブレーキ装置４０で保持することで、バックレスト２の落下を防止する装置である。
【００５０】
ヘッドレストブレーキ機構５は、ヘッドレスト３を２本のガイドシャフト５１，５２で支え、１本のガイドシャフト５１を一方向ブレーキ装置５０で保持することで、ヘッドレスト３の落下を防止する装置である。
【００５１】
＜作用＞
次に、図１〜図１１を参照しながら本実施形態に係る歯科診療椅子ＤＣの作用を説明する。
【００５２】
患者Ｍは、歯科診療を受ける場合、図２に示すように、歯科診療椅子ＤＣに着座して、バックレスト２を適宜な角度に傾倒させた状態で診療を受ける。
この場合、歯科診療椅子ＤＣのバックレスト２の中央部は、ベース部１から立設された背板支柱２１によって好適な剛性を確保することができる。これにより、歯科診療椅子ＤＣは、患者Ｍの背骨の部分を背板支柱２１に固定した固定板部２２ａ（図５参照）によってしっかりとサポートすることで、身体の芯を安定して保持することができる。
【００５３】
図５に示すように、バックレスト２の左右両側は、背板支柱２１に固定された固定板部２２ａと、固定板部２２ａの左右端部から左右方向に延出された翼部２２ｂと、を一体成型して成る背板翼部２２が配設されていることで、患者Ｍの背中全体を広範囲に亘って弾性的にサポートすることができる。芯材である背板翼部２２の湾曲部２２ｃは、弾性変形する可撓性を備えていることで、患者Ｍがバックレスト２に寄りかかると、バックレスト２の左右両側に体重がかかり、患者Ｍ（図２参照）の体形に応じて、稜線２２ｈよりも外側が前後方向（矢印ａ，ｂ方向）に撓む。
【００５４】
これにより、バックレスト２は、患者Ｍ（図２参照）の体重や体格差に応じて柔軟にフィットする。例えば、小柄な患者Ｍの場合には、体重（荷重）が小さいので、小さな撓みでサポートする。一方、大柄な患者Ｍの場合には、体重（荷重）が大きいので、大きく撓んでしっかりとサポートすることができる。このため、歯科診療椅子ＤＣは、全て体形の患者Ｍに対してバックレスト２にフィットするので、バックレスト２のフィット感を向上させて、快適に歯科診療を受診できるようにすることが可能である。
【００５５】
図２に示すように、背板翼部２２は、患者Ｍの肩の部分Ｍｂを支持する部分をえぐるように切り欠いて肩の部分Ｍｂを逃がして、肩甲骨の部分Ｍｂ及び上腕部を支持する肩甲骨支持部２２ｄを備え、クッション部２４の外周部が外縁部２２ｊに沿って形成されている。このため、バックレスト２は、クッション部２４の後側にある肩甲骨支持部２２ｄによって、不安定な肩ではなくて、しっかりしている患者Ｍの肩甲骨の部分Ｍｂを支持することで、患者を安定した状態に支えることができる。その背板翼部２２は、上部左右の幅Ｌ２５（図７参照）を縮小することで、クッション部２４の上部左右の幅Ｌ１１を小さく形成されている。
【００５６】
また、背板翼部２２は、医師が、座部１１（図１参照）の下に膝を入れて患者Ｍに頭部に十分接近させ、肘を体に当接させて腕を安定させた姿勢の状態で、口腔内を治療することを可能にするので、歯科診療を行い易い体勢にすることができる。
【００５７】
また、クッション部２４は、患者Ｍの腰の部分Ｍｃを支持するランバーサポート２４ａ及び隆起部２４ｂを有している。このため、バックレスト２は、寝かせた姿勢の患者Ｍにおいても、クッション部２４が圧縮して弾性変形するので、バックレスト２と患者Ｍの背中との間にできる隙間をなくし、前面が当接して全面で支持するため、腰への負担を軽減させることができる。
【００５８】
ランバーサポート２４ａの湾曲部は、人間工学に基づいて、深さが浅い肩の部分Ｍａと、深さが深い腰の部分Ｍｃとをそれぞれ適切にサポートすると共に、患者Ｍの体格差に対しても柔軟に対応することができる。また、バックレスト２及びヘッドレスト３は、昇降ブレーキ機構ＢＭを操作することで、患者Ｍの座高や頭部の高さに合わせて、バックレスト２及びヘッドレスト３の高さを調整することができる。
【００５９】
このように、本発明に係る歯科診療椅子ＤＣは、患者Ｍの体重や、体格差に応じて柔軟にフィットするバックレスト２を備えているので、小さな子供や、比較的体重の軽い女性や、体重の重い大柄な患者Ｍであっても、快適に歯科治療を受けるようにすることができる。
【００６０】
また、歯科診療椅子ＤＣは、バックレスト２のクッション層を形成するクッション部２４と、それを包む表皮２５と、芯材である背板翼部２２とを独立して構成して組み付けていることで、低反発性や高通気性等を有する多機能クッションに取り換えることも可能である。
また、クッション部２４や表皮２５や背板部２３が汚れたり、破損した場合には、容易に取り外して清掃したり、新品のものに交換したりすることができる。
【００６１】
［変形例］
なお、本発明は、前記実施形態に限定されるものではなく、その技術的思想の範囲内で種々の改造及び変更が可能であり、本発明はこれら改造及び変更された発明にも及ぶことは勿論である。
【００６２】
例えば、実施形態で説明した背板翼部２２の各部の寸法は、一例であって適宜変更してもよい。
また、バックレスト２の各部材の材質は、適宜変更しても構わない。例えば、背板翼部２２は、弾性変形する部材であればよく、樹脂に限らず、ばね性を有する金属製のものであってもよい。
【００６３】
また、図６及び図７に示す背板翼部２２は、その一例として上部の左右に湾曲状に窪んだ外縁部２２ｊを形成した場合を説明したが、患者Ｍの肩の部分Ｍａを支えず、肩甲骨の部分Ｍｂを支えることが可能な形状であれば、適宜変更してもよい。例えば、外縁部２２ｊは、直線でもよく、また、膨らんだ曲線でもよい。
【符号の説明】
【００６４】
１      ベース部
２      バックレスト
２１    背板支柱
２２    背板翼部
２２ａ  固定板部
２２ｂ  翼部
２２ｃ  湾曲部
２２ｄ  肩甲骨支持部
２２ｊ  外縁部
２３    背板部
２４    クッション部
２４ａ  ランバーサポート
２４ｂ  隆起部
ＤＣ    歯科診療椅子
Ｍ      患者
Ｍａ    肩の部分
Ｍｂ    肩甲骨の部分
Ｍｃ    腰の部分
【図１】
2018015424.tif 000003
【図２】
2018015424.tif 000004
【図３】
2018015424.tif 000005
【図４】
2018015424.tif 000006
【図５】
2018015424.tif 000007
【図６】
2018015424.tif 000008
【図７】
2018015424.tif 000009
【図８】
2018015424.tif 000010
【図９】
2018015424.tif 000011
【図１０】
2018015424.tif 000012
【図１１】
2018015424.tif 000013
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
基台となるベース部と、このベース部に支持され患者を所定の診療体位に保持するバックレストと、を有する歯科診療椅子であって、
前記バックレストは、
前記ベース部から立設され、前記患者の背骨部分を支持する背板支柱と、
この背板支柱から左右方向に延出する背板翼部と、を備え、
前記背板翼部は、この背板翼部の中央部に上下方向に延設されて前記背板支柱に固定される固定板部と、
この固定板部の左右端部から左右方向に延出された翼部と、
前記患者の肩の部分に重なる箇所を切り欠いて形成して、前記患者の肩の部分が当たらないように略矩形形状をなす前記背板翼部の上部左右の隅に形成された切欠部と、
前記切欠部の前記背板支柱側の部位に形成されて着座した前記患者の肩甲骨の部分が重なって支持される肩甲骨支持部と、
左右方向において前記背板支柱から遠い方が前方へ向かうように湾曲して形成された湾曲部と、を樹脂で一体成型してなること、
を特徴とする歯科診療椅子。
【請求項２】
前記肩甲骨支持部は、外縁に湾曲状に窪んで形成された外縁部を有すること、
を特徴とする請求項１に記載の歯科診療椅子。
【請求項３】
前記固定板部は、下端から上端に亘って徐々に幅広になるように形成されると共に、前記固定板部の左右上端部から左右下端部に亘って稜線が折曲形成され、
前記背板翼部は、上辺の長さが下辺の長さよりも短く形成されて、撓む際に、前記稜線を起点として撓み変形すること、
を特徴とする請求項１または請求項２に記載の歯科診療椅子。
【請求項４】
前記翼部は、前記固定板部に対して前方向に１８度から２８度の角度に折り曲げて形成されて、
前記湾曲部は、前記患者の背中部分を支持した状態で、前記患者の体形に応じて前後方向に撓む可撓性を備えたこと、
を特徴とする請求項１ないし請求項３のいずれか１項に記載の歯科診療椅子。
【請求項５】
前記バックレストは、前記背板支柱及び前記背板翼部からなる背板部と、
この背板部を覆うように配設されたクッション部と、を有し、
前記クッション部は、前記患者の腰の部分を支持するランバーサポートを有し、
前記ランバーサポートは、前記クッション部の厚みを厚くした隆起部によって形成されていること、
を特徴とする請求項１ないし請求項４のいずれか１項に記載の歯科診療椅子。
【請求項６】
前記湾曲部は、前記患者の肩の部分を支持する上部よりも腰の部分を支持する下部の方が湾曲の深さが大きいこと、
を特徴とする請求項１から請求項５のいずれか１項に記載の歯科診療椅子。
【手続補正２】
【補正対象書類名】明細書
【補正対象項目名】０００７
【補正方法】変更
【補正の内容】
【０００７】
前記課題を解決するため、本発明に係る歯科診療椅子は、基台となるベース部と、このベース部に支持され患者を所定の診療体位に保持するバックレストと、を有する歯科診療椅子であって、前記バックレストは、前記ベース部から立設され、前記患者の背骨部分を支持する背板支柱と、この背板支柱から左右方向に延出する背板翼部と、を備え、前記背板翼部は、この背板翼部の中央部に上下方向に延設されて前記背板支柱に固定される固定板部と、この固定板部の左右端部から左右方向に延出された翼部と、前記患者の肩の部分に重なる箇所を切り欠いて形成して、前記患者の肩の部分が当たらないように略矩形形状をなす前記背板翼部の上部左右の隅に形成された切欠部と、前記切欠部の前記背板支柱側の部位に形成されて着座した前記患者の肩甲骨の部分が重なって支持される肩甲骨支持部と、左右方向において前記背板支柱から遠い方が前方へ向かうように湾曲して形成された湾曲部と、を樹脂で一体成型してなることを特徴とする。
【手続補正３】
【補正対象書類名】明細書
【補正対象項目名】０００８
【補正方法】変更
【補正の内容】
【０００８】
かかる構成によれば、歯科診療椅子のバックレストの中央部は、ベース部から立設された背板支柱によって好適な剛性を確保することができる。これにより、バックレストは、背骨部分をしっかりとサポートすることで、身体の芯を安定して保持することができる。
また、バックレストの左右両側は、背板支柱から左右方向に延出する背板翼部を配設している。その背板翼部は、湾曲部を備えたことで、背中全体を広範囲にサポートすることができる。
また、かかる構成によれば、背板翼部は、背板支柱に固定された固定板部と、固定板部から延出された翼部と、を一体成型して形成されていることで、翼部に荷重が負荷されると、固定板部の左右端部を中心として前後方向に弾性変形する。このため、背板翼部は、患者が歯科診療椅子に着座してバックレストに寄りかかった場合、患者の背中全体を広範囲に亘って弾性的にサポートすることができる。
また、かかる構成によれば、背板翼部は、上部左右の隅を切り欠いて上部左右の幅を縮小していることで、医師が患者に接近して口腔内を治療することができるため、歯科診療し易くなる。
【手続補正４】
【補正対象書類名】明細書
【補正対象項目名】０００９
【補正方法】変更
【補正の内容】
【０００９】
また、前記背板翼部は、外縁に湾曲状に窪んで形成された外縁部を有することが好ましい。
かかる構成によれば、背板翼部は、湾曲状に窪んで形成された外縁部を備えたことで、患者の肩の部分ａを逃がして、肩甲骨支持部で肩甲骨の部分を安定して支持することができる。
【手続補正５】
【補正対象書類名】明細書
【補正対象項目名】００１０
【補正方法】変更
【補正の内容】
【００１０】
また、前記固定板部は、下端から上端に亘って徐々に幅広になるように形成されると共に、前記固定板部の左右上端部から左右下端部に亘って稜線が折曲形成され、前記背板翼部は、上辺の長さが下辺の長さよりも短く形成されて、撓む際に、前記稜線を起点として撓み変形することが好ましい。
かかる構成によれば、背板翼部において、患者がバックレストに寄りかかった際に、患者の背中に押圧されて、固定板部の左右両端の稜線を中心として前後方向に弾性変形して、患者に密着するように形成されている。
【手続補正６】
【補正対象書類名】明細書
【補正対象項目名】００１１
【補正方法】変更
【補正の内容】
【００１１】
また、前記翼部は、前記固定板部に対して前方向に１８度から２８度の角度に折り曲げて形成されて、前記湾曲部は、前記患者の背中部分を支持した状態で、前記患者の体形に応じて前後方向に撓む可撓性を備えていることが好ましい。
【手続補正７】
【補正対象書類名】明細書
【補正対象項目名】００１２
【補正方法】変更
【補正の内容】
【００１２】
かかる構成によれば、翼部は、固定板部に対して前方向に１８度から２８度の角度に折り曲げて形成されてことで、平面視して、左右の両端部が、固定板部の後端から前方向に折曲形成されている。このため、湾曲部は、患者の体形に応じて前後方向に撓む。